(57)【要約】      （修正有）【課題】建物の玄関土間や勝手口において十分な断熱性能を備えた床構造を採用した建物を提供する。【解決手段】床構造３を備えた建物であって、立ち上がり部を有し、建物を支持する基礎と、立ち上がり部で囲まれる部分に敷設された土間コンクリートＤと、建物の出入口に隣接する玄関床１０と、玄関床１０に隣接する一階床２０と、を備え、玄関床１０は、一階床２０よりも土間コンクリートＤの天端Ｄ１からの高さが低く、玄関床１０が備える第１断熱材１２の厚みは、一階床２０が備える第２断熱材２２の厚みよりも薄く形成されている。【選択図】図２
2020165241.tif 000002
【特許請求の範囲】
【請求項１】
床構造を備えた建物であって、
立ち上がり部を有し、前記建物を支持する基礎と、
前記立ち上がり部で囲まれる部分に敷設された土間コンクリートと、
前記建物の出入口に隣接する第１の床と、
前記第１の床に隣接する第２の床と、を備え、
前記第１の床は、前記第２の床よりも前記土間コンクリートの天端からの高さが低く、
前記第１の床が備える第１断熱材の厚みは、前記第２の床が備える第２断熱材の厚みよりも薄く形成されていることを特徴とする建物。
【請求項２】
前記第１の床を構成する第１床パネルは、前記第１断熱材と、前記第１断熱材の上に配置された第１床板と、前記第１床板の上に配置された第１仕上層と、を備え、
前記第２の床を構成する第２床パネルは、前記第２断熱材と、前記第２断熱材の上に配置された第２床板と、前記第２床板の上に配置された第２仕上層と、を備えることを特徴とする請求項１に記載の建物。
【請求項３】
前記第１仕上層は、
前記第１床板の上に配置された接着層と、
前記接着層の上に配置されたタイルと、を備えることを特徴とする請求項２に記載の建物。
【請求項４】
前記第１床板が耐水性であることを特徴とする請求項２又は３に記載の建物。
【請求項５】
前記土間コンクリートに立設された束及び前記束の上に配置された大引を有する床支持部材を備え、
前記第１床パネルが前記床支持部材によって支持されていることを特徴とする請求項２乃至４のいずれか一項に記載の建物。
【請求項６】
前記基礎の基礎天端に取り付けられる支持部材を備え、
前記第１床パネルが前記支持部材を介して前記基礎天端で支持されていることを特徴とする請求項２乃至４のいずれか一項に記載の建物。
【発明の詳細な説明】
【技術分野】
【０００１】
本発明は、建物に係り、特に、玄関土間や勝手口において断熱性能に優れた床構造を備える建物に関する。
【背景技術】
【０００２】
近年、ＺＥＨ（ゼッチ：Ｎｅｔ  Ｚｅｒｏ  Ｅｎｅｒｇｙ  Ｈｏｕｓｅ、ネット・ゼロ・エネルギー・ハウスの略）が注目されている。ここで、ＺＥＨとは、「外皮の断熱性能等を大幅に向上させるとともに、高効率な設備システムの導入により、室内環境の質を維持しつつ大幅な省エネルギーを実現した上で、再生可能エネルギー等を導入することにより、年間の一次エネルギー消費量の収支がゼロとすることを目指した住宅」と定義される（非特許文献１）。ＺＥＨに限らず、一般に建物の断熱や床下空間の換気は重要な課題である。
【０００３】
一般に、戸建て住宅などの建物における玄関土間の床は、土盛りした上に砕石を敷いた地盤の上に土間コンクリートを打ち、その上にタイル用のモルタルを敷き、タイルを並べた構造となっている。
【０００４】
例えば、特許文献１には、玄関土間用の床パネルが備えられ、この床パネルが基礎の立ち上がり部の上端側において支えられ、この床パネルの高さ位置を基礎に対して上下に調節するための高さ調節機構が備えられ、床パネルの下面側は空間部に形成されている玄関土間の床構造が記載されている。
【先行技術文献】
【特許文献】
【０００５】
【特許文献１】特開２００３−２５３８５６号公報
【非特許文献】
【０００６】
【非特許文献１】資源エネルギー庁、「集合住宅におけるＺＥＨロードマップ検討委員会とりまとめ」（平成３０年５月）
【発明の概要】
【発明が解決しようとする課題】
【０００７】
特許文献１に記載の床構造では、玄関土間部分が基礎で囲われているが、玄関土間用の床パネルが無断熱であり、温熱性能が低下してしまい、ＺＥＨで要求される高い断熱性能を満たすことが困難であった。
また、床下空間は、換気が必要であり、土間天端から玄関土間の床の下面までの距離を所定距離確保する必要があった。
【０００８】
そこで、本発明は、上記の課題に鑑みてなされたものであり、その目的とするところは、建物の玄関土間や勝手口において十分な断熱性能を備えた床構造を採用した建物を提供することにある。
また、本発明の他の目的は、建物の玄関土間や勝手口の床下において換気のための通気経路を確保しつつ、断熱性能が高い建物を提供することである。
【課題を解決するための手段】
【０００９】
前記課題は、本発明の建物によれば、床構造を備えた建物であって、立ち上がり部を有し、前記建物を支持する基礎と、前記立ち上がり部で囲まれる部分に敷設された土間コンクリートと、前記建物の出入口に隣接する第１の床と、前記第１の床に隣接する第２の床と、を備え、前記第１の床は、前記第２の床よりも前記土間コンクリートの天端からの高さが低く、前記第１の床が備える第１断熱材の厚みは、前記第２の床が備える第２断熱材の厚みよりも薄く形成されていることにより解決される。
【００１０】
上記のように構成された本発明の建物によれば、建物の出入口に隣接する玄関土間や勝手口の床（第１の床）が断熱材を備えているため、断熱材がない場合と比較して断熱性能が向上する。
また、玄関土間や勝手口の床が備える断熱材（第１断熱材）が、室内側に配置された一階床（第２の床）の断熱材（第２断熱材）よりも薄く形成されているため、床下空間の換気性能や点検の観点から要求される土間天端から玄関土間用の床パネルの下面までの距離を所定距離確保できる。
【００１１】
また、上記の構成において、前記第１の床を構成する第１床パネルは、前記第１断熱材と、前記第１断熱材の上に配置された第１床板と、前記第１床板の上に配置された第１仕上層と、を備え、前記第２の床を構成する第２床パネルは、前記第２断熱材と、前記第２断熱材の上に配置された第２床板と、前記第２床板の上に配置された第２仕上層と、を備えるとよい。
上記の構成では、建物の出入口側に配置された玄関土間や勝手口の床（第１の床）を一階床（第２の床）と同様の構成とすることで、断熱性能を向上させると共に、仕上層における意匠の自由度が高くなる。
【００１２】
また、上記の構成において、前記第１仕上層は、前記第１床板の上に配置された接着層と、前記接着層の上に配置されたタイルと、を備えるとよい。
上記の構成では、玄関土間や勝手口の床をタイル地とすることが可能となる。
【００１３】
また、上記の構成において、前記第１床板が耐水性であるとよい。
上記の構成では、耐水性が付与されることで、玄関土間や勝手口の床が水濡れに強くなる。
【００１４】
また、上記の構成において、前記土間コンクリートに立設された束及び前記束の上に配置された大引を有する床支持部材を備え、前記第１床パネルが前記床支持部材によって支持されているとよい。
上記の構成では、玄関土間や勝手口の床を安定かつ適切に支持することが可能となるとともに、床パネルの施工が簡易なものとなる。
【００１５】
また、上記の構成において、前記基礎の基礎天端に取り付けられる支持部材を備え、前記第１床パネルが前記支持部材を介して前記基礎天端で支持されているとよい。
上記の構成では、玄関土間や勝手口の床を簡易な方法で支持することが可能となる。
【発明の効果】
【００１６】
本発明によれば、玄関土間や勝手口において断熱性能を備えた建物を提供することができる。
また、本発明によれば、建物の玄関土間や勝手口の床下において換気のための通気経路を確保しつつ、断熱性能が高い建物を提供することができる。
【図面の簡単な説明】
【００１７】
【図１】本発明の建物における玄関土間の周囲の構成を示す模式図である。
【図２】図１のＡ−Ａ断面図であり、玄関土間と一階フロアーの床構造を示す図である。
【図３】図１のＢ−Ｂ断面図であり、基礎の立ち上がり部付近の玄関土間の床構造を示す図である。
【図４】図１のＡ−Ａ断面における部分拡大図であって、通気経路を説明するための模式図である。
【図５】変形例に係る床の支持構造を示す模式図である。
【発明を実施するための形態】
【００１８】
以下、本発明の一実施形態（以下、本実施形態）に係る建物について図１乃至図５を参照しながら説明する。図１は、本実施形態に係る建物Ｈにおける玄関土間１の周囲の構成を示す模式図ある。図１に示すように、建物Ｈは、その一階部分に、玄関土間１及び一階フロアー２を備えている。
【００１９】
（建物Ｈ）
本実施形態に係る建物（以下、建物Ｈ）は、例えば複数階建ての住宅や建屋であり、一階部分の玄関土間１周囲の床構造として、図２乃至４に示す床構造３を採用している。図２は、図１のＡ−Ａ断面図であり、玄関土間１と一階フロアー２の床構造３を示す図である。図３は、図１のＢ−Ｂ断面図であり、基礎Ｋの立ち上がり部Ｋ１付近の玄関土間１の床構造３を示す図である。図４は、図１のＡ−Ａ断面における部分拡大図であって、通気経路を説明するための模式図である。
【００２０】
（床構造３）
床構造３は、図２及び図３に示すように、立ち上がり部Ｋ１を有し、地盤Ｇから上方に立設されて建物Ｈを支持する基礎Ｋと、基礎Ｋの立ち上がり部Ｋ１で囲まれる部分において地盤Ｇの上面に敷設された土間コンクリートＤと、建物Ｈの出入口に隣接する玄関床１０（第１の床）と、玄関床１０に隣接する一階床２０（第２の床）と、を備えている。床構造３は、玄関床１０及び一階床２０の下方に床下空間４を備えている。
【００２１】
（玄関床１０）
玄関床１０を構成する玄関床パネル１１（第１床パネル）は、図２に示すように、第１断熱材１２と、第１断熱材１２の上に配置された第１床板１３と、第１床板１３の上に配置された第１仕上層１４と、を備えている。
【００２２】
図２に示すように、玄関床パネル１１は、土間コンクリートＤに立設された束３１及び束３１の上に配置された大引３２を有する床支持部材３０によって支持されている。床支持部材３０は高さ調整が可能であり、玄関床パネル１１の高さ位置を調整することが可能である。図３に示すように、玄関床パネル１１の下面１１ａの高さ位置が、基礎Ｋの天端Ｋ３よりも低い位置に配置されている。なお、玄関床パネル１１（第１床パネル）の下面１１ａ（換言すると、玄関床１０（第１の床）の下面）は、図３に示す例では、第１断熱材１２の下面と一致するが、玄関床パネル１１における土間コンクリートＤの天端Ｄ１からの距離が最も近い部分のことを言う。
【００２３】
玄関土間１の玄関床１０はタイル地となっている。具体的には、図２及び図３に示すように玄関床パネル１１の第１仕上層１４は、第１床板１３の上に配置された下地１４ａと、下地１４ａの上に配置された接着剤１４ｂと、接着剤１４ｂの上に配置されたタイル１４ｃと、を備えている。ここで、下地１４ａと接着剤１４ｂは、タイル１４ｃを第１床板１３に接着する接着層として機能する。このとき、第１床板１３として耐水性を有するもの（例えば、耐水性合板）を用いることで、玄関床１０が水濡れに強くなる。また、下地１４ａとして、ワイヤーメッシュ入りのものを用いることで第１仕上層１４の強度を向上させることができる。
【００２４】
（一階床２０）
一階床２０を構成する一階床パネル２１（第２床パネル）は、図２に示すように、第２断熱材２２と、第２断熱材２２の上に配置された第２床板２３と、第２床板２３の上に配置された第２仕上層２４と、を備えている。第２仕上層２４として、例えば、木製のフローリング材を用いることが可能である。
【００２５】
図２に示すように、一階床パネル２１は、土間コンクリートＤに立設された束３１及び束３１の上に配置された大引３２を有する床支持部材３０によって支持されている。床支持部材３０は高さ調整が可能であり、一階床パネル２１の高さ位置を調整することが可能である。
【００２６】
図２に示すように、一階床パネル２１が備える第２断熱材２２の高さ位置が、一階床パネル２１を支持している床支持部材３０の大引３２と同じ高さ位置となっている。
【００２７】
図２に示すように、玄関床１０は、一階床２０よりも土間コンクリートＤの天端Ｄ１からの高さが低くなっている。具体的には、天端Ｄ１から玄関床パネル１１（第１床パネル）の下面１１ａまでの第１高さｈ１が、天端Ｄ１から一階床パネル２１（第２床パネル）の下面２１ａまでの第２高さｈ２よりも低くなっている（つまりｈ１＜ｈ２）。
【００２８】
また、図２に示すように、玄関床１０が備える第１断熱材１２の厚みは、一階床２０が備える第２断熱材２２の厚みよりも薄く形成されている。具体的には、玄関床パネル１１（第１床パネル）が備える第１断熱材１２の第１厚みｄ１が、一階床パネル２１（第２床パネル）が備える第２断熱材２２の第２厚みｄ２よりも薄くなっている（つまりｄ１＜ｄ２）。
【００２９】
長期優良住宅に係る認定基準では、床下空間の点検を行うための有効高さとして３３０ｍｍを確保するが求められる。ここで、床下空間の有効高さはコンクリート等の上端からの床下空間の高さで最も低い部分の高さとすると定義されている。したがって、長期優良住宅に係る認定基準に準拠するため、床下空間４において、土間コンクリートＤの天端Ｄ１から玄関床パネル１１（第１床パネル）の下面１１ａ（換言すると第１断熱材１２の下面）までの第１高さｈ１が少なくとも３３０ｍｍである必要がある。
【００３０】
ここで、床下空間４における高さを確保するために、玄関床パネル１１の高さを上げた場合、玄関土間１の高さが上がってしまう。したがって、床構造３では、玄関床パネル１１（第１床パネル）が備える第１断熱材１２の第１厚みｄ１を、一階床パネル２１（第２床パネル）が備える第２断熱材２２の第２厚みｄ２よりも薄くする（ｄ１＜ｄ２）ことによって、玄関床１０における断熱性能を向上させつつも、床下空間４の高さ（第１高さｈ１）を確保している。
【００３１】
このとき、第１断熱材１２と第２断熱材２２で同じ材料（同じ熱伝導率の材料、例えば発泡ポリスチレンフォーム）を用いた場合、玄関床パネル１１よりも一階床パネル２１の断熱性能がよいものとなる。第１断熱材１２の材料として、第２断熱材２２の材料よりも熱伝導率の低い材料、つまり、高断熱性の材料を用いることで、玄関床１０における断熱性能を高くすることができる。
【００３２】
以上のように、建物Ｈでは、建物Ｈの出入口側に配置された玄関土間１の玄関床１０（第１の床）が第１断熱材１２を備えているため、第１断熱材１２がない場合と比較して玄関床１０における断熱性能が向上する。
【００３３】
また、玄関床１０が備える第１断熱材１２が、室内側に配置された一階床２０（第２の床）の第２断熱材２２よりも薄く形成されているため、床下空間４の換気の観点から要求される天端Ｄ１から玄関土間１の玄関床パネル１１（第１床パネル）の下面１１ａまでの距離を所定距離確保できる。
【００３４】
（通気経路Ｓ）
建物Ｈは、図３に示すように、玄関床１０の玄関床パネル１１の下面１１ａが基礎Ｋの天端Ｋ３よりも低い位置に配置されているが、基礎Ｋの立ち上がり部Ｋ１と玄関床１０の境界において床下空間４における換気性能を向上させるために床下空間４から外部へと連通する通気経路Ｓを備えている。以下、通気経路Ｓについて、図３及び図４を参照して詳細に説明する。
【００３５】
図３に示すように、建物Ｈの外壁５の下端部には、外壁５の下端部に沿って延在する換気スリット４０が備わっている。換気スリット４０としては、例えば、特開２０１４−１３９３７５号公報に記載の負圧発生構造を備えたものを用いることが可能である。換気スリット４０によれば、通気経路Ｓへと雨水などが入り込むことを、効率的に抑制することができる。
【００３６】
図３に示すように、基礎Ｋの立ち上がり部Ｋ１と玄関床１０（第１の床）との間に、建物Ｈの外部へと連通する隙間Ｓ１が形成されている。具体的には、玄関床パネル１１の側面と対向する位置（換言すると、基礎Ｋの上端側面）において、基礎Ｋの立ち上がり部Ｋ１に切り欠きＫ２が形成されており、基礎Ｋの立ち上がり部Ｋ１に形成された切り欠きＫ２と玄関床パネル１１（第１床パネル）の側面との間に、鉛直方向に延びる隙間Ｓ１が形成されている。
【００３７】
玄関土間１の玄関床１０が基礎Ｋの立ち上がり部Ｋ１との間に建物Ｈの外部へと連通する隙間Ｓ１を備えているため、床下空間４の換気性能が向上する。また、基礎Ｋの立ち上がり部Ｋ１と玄関床１０の玄関床パネル１１の側面の間に隙間Ｓ１が形成されており、隙間Ｓ１が鉛直方向に延在することとなるため、床下空間４の換気性能がより一層向上する。さらに、基礎Ｋの立ち上がり部Ｋ１に切り欠きＫ２が形成されていることで、立ち上がり部Ｋ１と玄関床パネル１１の側面の間に隙間Ｓ１を確実に確保することが可能となる。
【００３８】
図３及び図４に示すように、隙間Ｓ１から基礎Ｋの基礎天端Ｋ３に向かう通気経路Ｓを確保するための通気部材として下地金物５０が設けられている。下地金物５０は、金属製の板を折り曲げて形成されており、その一端の下地部５１が第１床板１３及び第１仕上層１４の間に配置されている。換言すると、下地金物５０（通気部材）の少なくとも一部である下地部５１（下地金物５０の水平方向に延在する部分）が、第１床板１３及び第１仕上層１４の間に配置されている。下地金物５０によれば、玄関土間１の玄関床１０と基礎Ｋの立ち上がり部Ｋ１との間の隙間Ｓ１から基礎Ｋの基礎天端Ｋ３に向かう通気経路Ｓを確保するとともに、下地金物５０を玄関床パネル１１と組み合わせることが可能となる。
【００３９】
図３に示すように、下地金物５０は、段差部５２においてタイル１４ｃと隣接している。換言すると、下地金物５０（通気部材）が備える段差部５２にタイル１４ｃが並列して（整列して）配置されている。このような構成によれば、タイル１４ｃを配置する際に下地金物５０の段差部５２を利用して位置合わせを行うことが可能となる。
【００４０】
また、通気経路Ｓにおいて、基礎天端Ｋ３の上に換気スペーサー４１及び基礎上金物４２が配置されている。換気スペーサー４１は通気孔４１ａを有している。換気スペーサー４１によれば、基礎Ｋの基礎天端Ｋ３の上において通気経路Ｓを確保することが可能となる。また、基礎上金物４２は、基礎天端Ｋ３の上に取り付けられたハット形状の金物であり、通気経路Ｓを確保するとともに、内壁パネルの桟木などを支持している。
【００４１】
以上のように、建物Ｈでは、玄関床１０及び一階床２０の床下空間４が、隙間Ｓ１、下地金物５０（通気部材）、基礎上金物４２及び換気スペーサー４１の通気孔４１ａを介して建物Ｈの外部へと連通している。このように、床下空間４が建物Ｈの外部へと確実に連通するため床下空間４の換気性能が向上する。また、鉛直方向に延びる隙間Ｓ１によれば、大きな通気口を設けた場合と比較して、換気が行われるため断熱性能の低下が抑制される。
【００４２】
＜変形例＞
以上までに、本発明の一実施形態に係る建物について説明してきたが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００４３】
特に、各部材の構造、材質、形状及び寸法等については、上記の実施形態の中で説明した内容に限定されず、本発明の趣旨を逸脱しない限りにおいて任意に設計することが可能である。
【００４４】
例えば、上記実施形態では、出入口が玄関土間１である例を示したが、床構造３を勝手口に適用することも可能である。なお、第１の床は、玄関土間や勝手口に限定されるものではなく、例えばリビングの開口部に面したタイル部分などの床であってもよい。また、建物Ｈとしては、戸建住宅に限られるものではなく、アパートなどの集合住宅であってもよい。
【００４５】
また、上記実施形態では、玄関床パネル１１が床支持部材３０によって支持されていたが、玄関床パネル１１の支持構造としては、他の方法を採用することも可能である。例えば、図５に示すように、基礎Ｋの基礎天端Ｋ３に取り付けられる床支持金物３３（支持部材）を用い、玄関床パネル１１（第１床パネル）を、床支持金物３３を介して基礎天端Ｋ３で支持することも可能である。図５に示した構成によれば、玄関土間１や勝手口の床を簡易な方法で支持することが可能となる。
【００４６】
玄関床パネル１１（第１床パネル）において、第１仕上層１４の施工は建物Ｈの建築現場で行うことも可能であるが、事前に第１床板１３に下地１４ａ、接着剤１４ｂ、タイル１４ｃを貼り付けた玄関床パネル１１を用意しておき、建物Ｈの建築現場では、玄関床パネル１１を設置するのみとすることも可能である。また、上記の実施形態では、玄関床パネル１１（第１床パネル）がタイル地である例を示したが、一階床パネル２１（第２床パネル）と同様に、フローリング材としてもよい。
【００４７】
また、上記実施形態では、タイル１４ｃを第１床板１３に接着する接着層として、下地１４ａと接着剤１４ｂを用いたが、接着層として、接着剤１４ｂの代わりにモルタルを用いることも可能である。また、下地１４ａを用いることなく、タイル１４ｃを第１床板１３に直接接着してもよい。
【００４８】
また、上記実施形態では、基礎Ｋとして土間コンクリートＤが敷設された布基礎である例を示したが、基礎Ｋの構造は布基礎に限定されるものではなく、ベタ基礎であってもよい。
【符号の説明】
【００４９】
Ｈ  建物
１  玄関土間
２  一階フロアー
３  床構造
４  床下空間
５  外壁
５ａ  下端
Ｇ  地盤
Ｋ  基礎
Ｋ１  立ち上がり部
Ｋ２  切り欠き
Ｋ３  基礎天端
Ｄ  土間コンクリート
Ｄ１  天端
１０  玄関床（第１の床）
１１  玄関床パネル（第１床パネル）
１１ａ  下面
１２  第１断熱材
１３  第１床板
１３ａ  下面
１４  第１仕上層
１４ａ  下地（接着層）
１４ｂ  接着剤（接着層）
１４ｃ  タイル
２０  一階床（第２の床）
２１  一階床パネル（第２床パネル）
２１ａ  下面
２２  第２断熱材
２３  第２床板
２４  第２仕上層
３０  床支持部材
３１  束
３２  大引
３３  床支持金物（床支持部材）
４０  換気スリット
４１  換気スペーサー
４１ａ  通気孔
４２  基礎上金物
５０  下地金物（通気部材）
５１  下地部
５２  段差部
Ｓ  通気経路
Ｓ１  隙間
【図１】
2020165241.tif 000003
【図２】
2020165241.tif 000004
【図３】
2020165241.tif 000005
【図４】
2020165241.tif 000006
【図５】
2020165241.tif 000007